(57)【特許請求の範囲】
【請求項１】
給湯機の各機能を動作させるための各種スイッチと、該各種スイッチの操作により設定された情報を表示する表示装置とを備えたリモートコントロール装置において、前記給湯機の機種を確認するために操作される検査スイッチと、前記給湯機の機種を選択する選択手段と、前記給湯機の機種を確認するために前記検査スイッチが操作されて前記選択手段により前記給湯機の機種が選択された際に該選択手段により選択された機種で使用する前記各種スイッチの種類データと作動された各種スイッチの作動情報の内容とが一致するか否かを判断する判断手段とから構成したことを特徴とするリモートコントロール装置。
【請求項２】
給湯機の各機能を動作させるための各種スイッチと、該各種スイッチの操作により設定された情報を表示する表示装置とを備えたリモートコントロール装置において、前記給湯機の機種を確認するために操作される検査スイッチと、該検査スイッチが作動してから時間を計時するタイマと、前記給湯機の機種を選択する選択手段と、前記タイマが計時する所定時間以内に前記選択手段により選択された機種で使用する前記各種スイッチの種類データと作動された各種スイッチの作動情報の内容とが一致しないときには異常と判断する判断手段とから構成したことを特徴とするリモートコントロール装置。
【請求項３】
前記判断手段により選択された機種と一致しないときや異常と判断された場合に、その内容を前記表示装置に表示させることを特徴とする請求項１又は２に記載のリモートコントロール装置。
【発明の詳細な説明】
【０００１】
【発明の属する技術分野】
本発明は、給湯機や空気調和装置等に使用するリモートコントロール装置に関し、詳述すれば製作時における動作の確認ができるリモートコントロール装置に関する。
【０００２】
【従来の技術】
従来、この種リモートコントロール装置は１つのマイクロコンピュータに使用する機器の機種数に応じて予めプログラムを作成しておき、そのプログラムは使用する機種に応じてスイッチや不揮発性メモリ（ＥＥＰＲＯＭ）等の選択手段により切替えて使用できるようにしている。
【０００３】
【発明が解決しようとする課題】
しかし、その一方でリモートコントロール装置製作時の動作確認は、作業者がスイッチを押して表示の変化等を見て判定しているが、機種によって使用するスイッチが異なるため、作業者は選択手段により設定された機種と対応するスイッチの有無の確認作業に時間が掛かり、多大な労力が必要で、非常に生産効率が悪かった。
【０００４】
そこで本発明は、上述の事情を考慮してなされたものであり、選択手段により設定された機種と対応するスイッチとの確認作業が簡単かつ確実に確認できるリモートコントロール装置及び給湯機を提供するものである。
【０００５】
【課題を解決するための手段】
このため第１の発明は、給湯機の各機能を動作させるための各種スイッチと、該各種スイッチの操作により設定された情報を表示する表示装置とを備えたリモートコントロール装置において、前記給湯機の機種を確認するために操作される検査スイッチと、前記給湯機の機種を選択する選択手段と、前記給湯機の機種を確認するために前記検査スイッチが操作されて前記選択手段により前記給湯機の機種が選択された際に該選択手段により選択された機種で使用する前記各種スイッチの種類データと作動された各種スイッチの作動情報の内容とが一致するか否かを判断する判断手段とから構成したことを特徴とする。
【０００６】
第２の発明は、給湯機の各機能を動作させるための各種スイッチと、該各種スイッチの操作により設定された情報を表示する表示装置とを備えたリモートコントロール装置において、前記給湯機の機種を確認するために操作される検査スイッチと、該検査スイッチが作動してから時間を計時するタイマと、前記給湯機の機種を選択する選択手段と、前記タイマが計時する所定時間以内に前記選択手段により選択された機種で使用する前記各種スイッチの種類データと作動された各種スイッチの作動情報の内容とが一致しないときには異常と判断する判断手段とから構成したことを特徴とする。
【０００７】
第３の発明は、第１又は第２の発明において、前記判断手段により選択された機種と一致しないときや異常と判断された場合に、その内容を前記表示装置に表示させることを特徴とする。
【０００９】
【発明の実施の形態】
以下、本発明の実施の形態を図面に基づき説明する。図１は本発明に係る給湯機としてのヒートポンプ式給湯機のシステム構成図であり、１は内部に台所や風呂等に給湯するための湯を貯溜するタンクを内蔵したタンクユニットである。２はこのタンクユニット１内の水を加熱するヒートポンプユニットである。３はタンクユニット１に接続しているふろリモートコントロール装置（以下、「ふろリモコン」という）で、ふろの浴槽近傍に設置され、スイッチ操作により風呂浴槽内に湯を入れたり、追い焚き等の運転指示を行うものである。４は台所リモートコントロール装置（以下、「台所リモコン」という）で、台所や洗面台等に設置され前記タンクユニット１から吐出される給湯温度を所望の温度に設定指示したり、現在の運転状態を表示するものである。
【００１０】
以下、この台所リモコン４の詳細を、図２に基づいて詳述する。５は判断手段としてのマイクロコンピュータ（以下、「マイコン」という）で、内部に各種データを記憶する記憶装置としてのＲＡＭ（ランダム・アクセス・メモリ）、台所リモコンの動作を処理するプログラムを格納しているＲＯＭ（リード・オンリー・メモリ）、前記ＲＡＭに記憶されたデータに基づきＲＯＭに格納されたプログラムに従い実行する中央演算装置としてのＣＰＵを搭載している。
【００１１】
以下、マイコン５へ信号を入力することで、各機能を動作させる各種スイッチを説明する。６は給湯の設定温度を上げるための給湯温度ＵＰスイッチ、７は給湯の設定温度を下げるための給湯温度ＤＯＷＮスイッチ、８は給湯運転の発停を行う運転スイッチで、このスイッチ８操作によりタンクユニット１内の水をヒートポンプユニット２により加熱して湯を生成するか否かを指示している。９は現在時刻を進めるための時刻ＵＰスイッチ、１０は現在時刻を戻すための時刻ＤＯＷＮスイッチである。
【００１２】
１１は台所リモコン４に設定されている機種を確認するための検査スイッチで、プリント基板上に設けた２箇所のパターン間を短絡することで「検査モード」が作動し、またこの２箇所のパターン間を開放することで「通常動作モード」が作動する。
【００１３】
１２、１３は台所リモコン４の動作する機種を設定するための選択手段としての第１選択スイッチ、第２選択スイッチで、このスイッチ１２、１３の開閉状態（ＯＮ−ＯＦＦ）の組合わせにより、次の４種類の機種選択を行っている。
▲１▼機種Ａ・・第１選択スイッチ１２がＯＦＦ、第２選択スイッチ１３がＯＦＦで、使用するスイッチはスイッチ６〜１０（全機能あり）
▲２▼機種Ｂ・・第１選択スイッチ１２がＯＦＦ、第２選択スイッチ１３がＯＮで、使用するスイッチはスイッチ６〜８（時刻機能なし）
▲３▼機種Ｃ・・第１選択スイッチ１２がＯＮ、第２選択スイッチ１３がＯＦＦで、使用するスイッチはスイッチ６、７、９、１０（運転スイッチなし）
▲４▼機種Ｄ・・第１選択スイッチ１２がＯＮ、第２選択スイッチ１３がＯＮで、風呂リモートコントロール設定
また、上記の各種スイッチ６〜１３の一端はマイコン５に接続し、他端は抵抗１４を介してマイコン５の電源に接続することで、スイッチの開成（ＯＦＦ）状態ではＬレベル（ロウレベル）の電圧信号が、スイッチの閉成（ＯＮ）状態ではＨレベル（ハイレベル）の電圧信号がマイコン５に入力するように構成している。
【００１４】
１５はタンクユニット１から給湯される温度の設定やタンクユニット１の運転状態や現在時刻等の情報をＬＣＤやＬＥＤに表示する表示装置であり、これらの情報表示はマイコン５で処理している。
【００１５】
本発明は上述する構成であり、以下本発明の一実施形態の動作を図３のフローチャートに基づいて説明する。台所リモコン４の製作時に、プリント基板が完成した時点で、先ず検査スイッチ１１のパターン間を短絡した状態で台所リモコン４に電源を通電する。マイコン５は通電開始により初期処理を実行し、この時点で検査スイッチ１１の開閉状態を確認する。
【００１６】
そして、マイコン５は検査スイッチ１１の開放（ＯＦＦ）状態を検出すると、「通常動作モード」である通常運転によるプログラム処理を実行して、タンクユニット１に運転や停止、給湯温度設定等を指示する。また、マイコン５は検査スイッチ１１の短絡（ＯＮ）を検出すると、「検査モード」のプログラム処理を実行して、第１選択スイッチ１２と第２選択スイッチ１３で設定されている選択機種がＡの場合、予めプログラムされている機種Ａで使用するスイッチの作動データと各種のスイッチ６〜１０の作動情報とが一致した時点で正常と判断し、正常判定時の表示データである「８８」を図５に示すように台所リモコン４の時刻表示部に表示させる。また、マイコン５は上記の合否判定を行うまでの判定中は、時刻表示部の時刻表示は消灯させている。
【００１７】
次に、「検査モード」において、第１選択スイッチ１２と第２選択スイッチ１３で設定されている選択機種がＢの場合、マイコン５は予めプログラムされている機種Ｂで使用するスイッチの作動データと各種のスイッチ６〜８（時刻機能なし）の作動情報とが一致した時点で正常と判断し、正常判定時の表示データである「８８」を時刻表示部に表示させる。しかし、この時に機種Ｂでは使用しないスイッチ９か１０の入力を検出した時には、異常と判断して異常判定時の表示データである「Ｅｒ」を図５に示すように時刻表示部に表示させる。
【００１８】
また、第１選択スイッチ１２と第２選択スイッチ１３で設定されている選択機種がＣの場合、予めプログラムされている機種Ｃで使用するスイッチの作動データと機種Ｃで使用する各種のスイッチ６、７、９、１０（運転スイッチなし）の作動情報とが一致した時点で正常と判断し、正常判定時の表示データである「８８」を時刻表示部に表示させる。しかし、この時に機種Ｃでは使用しないスイッチ８の入力を検出した時には、異常と判断して異常判定時の表示データである「Ｅｒ」を時刻表示部に表示させる。
【００１９】
さらに、第１選択スイッチ１２と第２選択スイッチ１３で設定された選択機種がＤの場合、予めプログラムされている機種Ｄで使用するスイッチの作動データはふろリモコン３のデータであって機能の異なるリモートコントロールなので、各種のスイッチ６〜１０の何れかの入力を検出した時点で異常と判断して異常判定時の表示データである「Ｅｒ」を時刻表示部に表示させる。
【００２０】
次に、図４は本発明による他の実施形態を示すフローチャートであり、以下その動作を説明する。検査スイッチ１１のパターン間を短絡した状態で台所リモコン４に電源を通電すると、マイコン５は通電開始により初期処理を実行し、この時点で検査スイッチ１１の開閉状態を確認する。そして、検査スイッチ１１の開放（ＯＦＦ）状態を検出すると、「通常動作モード」である通常状態によるプログラム処理を実行して、タンクユニット１に運転や停止、給湯温度設定等を指示する。また、マイコン５は検査スイッチ１１の短絡（ＯＮ）を検出すると、「検査モード」のプログラム処理を実行すると共に検査スイッチ１１が作動してから所定時間（例えば、５〜１０秒）を計時するリミットタイマ（マイコン５に内蔵）をスタートさせる。
【００２１】
そして、第１選択スイッチ１２と第２選択スイッチ１３で設定されている選択機種がＡの場合、マイコン５は予めプログラムされている機種Ａで使用するスイッチの作動データと各種のスイッチ６〜１０の作動情報とが一致した時点で正常と判断し、正常判定時の表示データである「８８」を時刻表示部に表示させる。また、マイコン５は上記の合否判定を行うまでの判定中は時刻表示部の時刻表示は消灯させている。
【００２２】
次に、第１選択スイッチ１２と第２選択スイッチ１３で設定されている選択機種がＢの場合、予めプログラムされている機種Ｂで使用するスイッチの作動データと各種のスイッチ６〜８（時刻機能なし）の作動情報とが一致した時点で正常と判断し、正常判定時の表示データである「８８」を時刻表示部に表示させる。
【００２３】
しかし、この時に機種Ｂでは使用しないスイッチ９か１０の入力を検出した時には、異常と判断して異常判定時の表示データである「Eｒ」を時刻表示部に表示する。さらに、電源が通電されてから検査スイッチ１１が作動している状態を計時しているリミットタイマにより所定時間（５〜１０秒）内に機種Ｂで使用する各種のスイッチ６〜８の作動情報を検出できなかった場合には、異常と判断して異常判定時の表示データである「Ｅｒ」を時刻表示部に表示させる。また、マイコン５は上記の合否判定を行うまでの判定中は時刻表示部の時刻表示は消灯させている。
【００２４】
次に、第１選択スイッチ１２と第２選択スイッチ１３で設定されている選択機種がＣの場合、予めプログラムされている機種Ｃで使用するスイッチの作動データと各種のスイッチ６、７、９、１０（運転スイッチなし）の作動情報とが一致した時点で正常と判断し、正常判定時の表示データである「８８」を時刻表示部に表示させる。
【００２５】
しかし、この時機種Ｃでは使用しないスイッチ８の入力を検出した時には、異常と判断して異常判定時の表示データである「Ｅｒ」を時刻表示部に表示させる。さらに、電源が通電されてから検査スイッチ１１が作動している状態を計時しているリミットタイマにより所定時間（５〜１０秒）内に機種Ｃで使用するスイッチの作動データと各種のスイッチ６、７、９、１０の作動情報との一致が検出できなかった場合には、異常と判断して異常判定時の表示データである「Ｅｒ」を時刻表示部に表示させる。また、マイコン５は、上記の合否判定を行うまでの判定中は時刻表示部の時刻表示は消灯させている。
【００２６】
次に、第１選択スイッチ１２と第２選択スイッチ１３で設定されている選択機種がＤの場合、予めプログラムされている機種Ｄで使用するスイッチの作動データはふろリモコン３のデータであって機能の異なるリモートコントロールなので、各種のスイッチ６〜１０の何れかの入力を検出した時点で異常と判断して異常判定時の表示データである「Ｅｒ」を時刻表示部に表示させる。
【００２７】
また、電源が通電されてから検査スイッチ１１が作動している状態を計時しているリミットタイマにより所定時間（５〜１０秒）内に各種のスイッチ６〜１０の何れも作動情報を検出できなかった場合には、マイコン５はこのタイマ終了時点で異常と判断して、異常判定時の表示データである「Ｅｒ」を時刻表示部に表示させる。さらに、マイコン５は、上記の合否判定を行うまでの判定中は時刻表示部の時刻表示は消灯させている。
【００２８】
以上、述べたように本実施形態によれば、給湯機の各機能を動作させるための各種スイッチ６〜１０と、該各種スイッチ６〜１０の操作により設定された情報を表示する表示装置１５とを備えた台所リモコン４において、前記給湯機の機種を確認するために操作される検査スイッチ１１と、前記給湯機の機種を選択する選択手段１２、１３と、前記給湯機の機種を確認するために前記検査スイッチ１１が操作されて前記選択手段１２、１３により前記給湯機の機種が選択された際に該選択手段１２、１３により選択された機種で使用する前記各種スイッチ６〜１０の種類データと作動された各種スイッチ６〜１０の作動情報の内容とが一致するか否かを判断する判断手段5とから構成したので、機種によって使用するスイッチが異なるリモートコントロールであっても、作業者は台所リモコン４に設けられた各種スイッチ６〜１０を押すだけで容易に合否判定できるので人為的な判定ミスが無くなり不良率が低減できる。また、多品種少量生産のリモコンであっても、特別な治具を必要とせず短時間で検査ができるため、非常に生産性が良い。
【００２９】
また、給湯機の各機能を動作させるための各種スイッチ６〜１０と、該各種スイッチ６〜１０の操作により設定された情報を表示する表示装置１５とを備えた台所リモコン４において、前記給湯機の機種を確認するために操作される検査スイッチ１１と、該検査スイッチ１１が作動してから時間を計時するタイマと、前記給湯機の機種を選択する選択手段１２、１３と、前記タイマが計時する所定時間以内に前記選択手段１２、１３により選択された機種で使用する前記各種スイッチ６〜１０の種類データと作動された各種スイッチ６〜１０の作動情報の内容とが一致しないときには異常と判断する判断手段５とから構成したので、例えばスイッチ６〜１０の接点不良（オープン、ショート故障時）や取付けるスイッチが不足していた場合の異常が容易に検出できる。
【００３０】
さらに、前記判断手段５により選択された機種と一致しないときや異常と判断された場合に、その内容を前記表示装置１５に表示させることで、作業者は異常の有無と異常内容が容易に判別することができる。
【００３１】
また、前記リモートコントロール装置４は給湯機１で使用することで、多品種少量生産の給湯機１の機能に合わせてリモコンも少量づつ効率良く生産することができる。
【００３２】
以上、本発明を上記実施の形態に基づいて説明したが、本発明はこれに限定されるものではなく、多種多様のリモートコントロール装置にも適用できる。
【００３３】
【発明の効果】
以上のように本発明によれば、給湯機の機種を確認するために検査スイッチが操作されて選択手段により給湯機の機種が選択された際に該選択手段により選択された機種で使用する各種スイッチの種類データと作動された各種スイッチの作動情報の内容とが一致するか否かの確認作業が簡単かつ確実に確認できるリモートコントロール装置を提供することができる。
【図面の簡単な説明】
【図１】本発明に係る給湯機の一実施の形態を示すシステム構成図である。
【図２】リモートコントロール装置の構成図である。
【図３】一実施形態の動作を説明するフローチャートである。
【図４】他の実施形態の動作を説明するフローチャートである。
【図５】表示装置に判断手段の結果を表示した図である。
【符号の説明】
３            ふろリモコン
４            台所リモコン
５            マイコン（判断手段）
６〜１０      各種スイッチ
１１          検査スイッチ
１２          第１選択スイッチ（選択手段）
１３          第２選択スイッチ（選択手段）
【図１】
0003857950.tif 000002
【図２】
0003857950.tif 000003
【図３】
0003857950.tif 000004
【図４】
0003857950.tif 000005
【図５】
0003857950.tif 000006